(57)【要約】【課題】シートスルー型の読み取りを行う際に、簡易な構成により両面を読み取る。【解決手段】原稿を表裏反転させて搬送する原稿搬送手段１１２〜１１６と、搬送中の前記原稿の第１面に第１の波長の読み取り光を照射する第１光源１２０Ａと、表裏反転された後に搬送中の前記原稿の第２面に第２の波長の読み取り光を照射する第２光源１２０Ｂと、前記原稿の第１面からの第１の波長の反射光と前記原稿の第２面からの第２の波長の反射光とを受け、前記第１の波長と前記第２の波長とのそれぞれを独立して光電変換して画像を読み取る光電変換部を有する光電変換手段１４０と、を備え、先行原稿の第２面に第２の波長の読み取り光を照射して前記光電変換手段で該先行原稿第２面の光電変換を実行する動作と、後続原稿の第１面に第１の波長の読み取り光を照射して前記光電変換手段で該後続原稿第１面の光電変換を実行する動作とを並行して行う。【選択図】図１
2007259003.tif 000002
【特許請求の範囲】
【請求項１】
原稿を搬送しつつ画像を読み取って画像データを生成する機能を有する画像読み取り装置であって、
原稿を表裏反転させて搬送する原稿搬送手段と、
前記原稿搬送手段により搬送中の前記原稿の第１面に第１の波長の読み取り光を照射する第１光源と、
前記原稿搬送手段により表裏反転された後に搬送中の前記原稿の第２面に第２の波長の読み取り光を照射する第２光源と、
前記原稿の第１面からの第１の波長の反射光と前記原稿の第２面からの第２の波長の反射光とを受け、前記第１の波長と前記第２の波長とのそれぞれを独立して光電変換して画像を読み取る光電変換部を有する光電変換手段と、を備え、
前記原稿搬送手段により搬送される先行原稿の第２面に第２の波長の読み取り光を照射して前記光電変換手段で該先行原稿第２面の光電変換を実行する動作と、前記原稿搬送手段により搬送される後続原稿の第１面に第１の波長の読み取り光を照射して前記光電変換手段で該後続原稿第１面の光電変換を実行する動作とを並行して行う、
ことを特徴とする画像読み取り装置。
【請求項２】
前記第１光源と前記第２光源とは原稿の搬送方向と直交する方向を長手方向とするライン状の光源であり、
前記光電変換手段は原稿の搬送方向と直交する方向を長手方向とする光電変換素子の集合体としてのラインセンサである、
ことを特徴とする請求項１記載の画像読み取り装置。
【請求項３】
前記光電変換手段はカラー原稿の読み取りのために複数色のラインセンサのいずれか２つの色を用いる、
ことを特徴とする請求項１または請求項２に記載の画像読み取り装置。
【請求項４】
前記第１の波長と前記第２の波長とは、原稿に用いられている色を読み取り可能なように、原稿に用いられている色を参照して決定される、
ことを特徴とする請求項１乃至請求項３のいずれかに記載の画像読み取り装置。
【請求項５】
前記光電変換手段で異なる波長の読み取り光を並行して光電変換することにより得られた信号から、前記先行原稿の第２面の画像データと前記後続原稿の第１面の画像データとを生成する画像処理部を備える、
ことを特徴とする請求項１乃至請求項４のいずれかに記載の画像読み取り装置。
【発明の詳細な説明】
【技術分野】
【０００１】
本発明は、原稿を搬送しつつ画像を読み取って画像データを生成する機能を有する画像読み取り装置に関し、簡易な構成により原稿の両面を高速に読み取ることが可能な画像読み取り装置に関する。
【背景技術】
【０００２】
原稿を搬送しつつ画像を読み取って画像データを生成する機能を有する画像読み取り装置が存在している。また、原稿を搬送しつつ画像を読み取って画像データを生成し、該画像データに応じて画像形成を行う複写機などの画像読み取り装置も存在している。
【０００３】
この種の画像読み取り装置あるいは画像読み取り装置では、主走査方向に複数画素の固体撮像素子などの読み取り素子列（ラインセンサ）を有しており、原稿を読み取り素子に対して直交する副走査方向に移動させることで、主走査方向および副走査方向の二次元の読み取りを実行している。なお、このように原稿を搬送しつつ読み取りを行うタイプを、本願明細書において「シートスルー型」と呼ぶことにする。
【０００４】
このシートスルー型の画像読み取り装置では、光学ミラーや照明ランプを固定した状態で原稿の画像を読み取ることが可能になっているため、複数の原稿を連続して読み取るのに適している。
【０００５】
なお、このようなシートスルー型の読み取りで、原稿の両面の画像を読み取ろうとする試みもなされている。このような両面読み取りに関しては、以下の特許文献１などに記載されている。
【特許文献１】特開２００３−１６３７９２号公報（第１頁、図１）
【発明の開示】
【発明が解決しようとする課題】
【０００６】
以上の特許文献１に記載された両面読み取りでは、光源とセンサとを２組用意して、原稿を搬送中に原稿の両面を読み取るようにしている。これにより、両面読み取りの際に要する時間を短縮することが可能になる。
【０００７】
このように光源とセンサとを２組設けるためには、２組の読み取りユニットを設けるために装置の構造を変更する必要も生じる。すなわち、光源、光学系、ラインセンサ、信号処理回路を２組設ける必要が生じる。
【０００８】
しかし、大部分の読み取りが片面であって、両面読み取りの頻度は低いため、コストアップに見合うだけのメリットが見いだし難い状況である。
本発明は、以上のような課題を解決するためになされたものであって、シートスルー型の読み取りを行う際に、簡易な構成により両面読み取りが可能な画像読み取り装置を提供することを目的とする。
【課題を解決するための手段】
【０００９】
以上の課題を解決する本発明は、以下に記載するようなものである。
（１）請求項１記載の発明は、原稿を搬送しつつ画像を読み取って画像データを生成する機能を有する画像読み取り装置であって、原稿を表裏反転させて搬送する原稿搬送手段と、前記原稿搬送手段により搬送中の前記原稿の第１面に第１の波長の読み取り光を照射する第１光源と、前記原稿搬送手段により表裏反転された後に搬送中の前記原稿の第２面に第２の波長の読み取り光を照射する第２光源と、前記原稿の第１面からの第１の波長の反射光と前記原稿の第２面からの第２の波長の反射光とを受け、前記第１の波長と前記第２の波長とのそれぞれを独立して光電変換して画像を読み取る光電変換部を有する光電変換手段と、を備え、前記原稿搬送手段により搬送される先行原稿の第２面に第２の波長の読み取り光を照射して前記光電変換手段で該先行原稿第２面の光電変換を実行する動作と、前記原稿搬送手段により搬送される後続原稿の第１面に第１の波長の読み取り光を照射して前記光電変換手段で該後続原稿第１面の光電変換を実行する動作とを並行して行う、ことを特徴とする画像読み取り装置である。
【００１０】
（２）請求項２記載の発明は、前記第１光源と前記第２光源とは原稿の搬送方向と直交する方向を長手方向とするライン状の光源であり、前記光電変換手段は原稿の搬送方向と直交する方向を長手方向とする光電変換素子の集合体としてのラインセンサである、ことを特徴とする請求項１記載の画像読み取り装置である。
【００１１】
（３）請求項３記載の発明は、前記光電変換手段はカラー原稿の読み取りのために複数色のラインセンサのいずれか２つの色を用いる、ことを特徴とする請求項１または請求項２に記載の画像読み取り装置である。
【００１２】
（４）請求項４記載の発明は、前記第１の波長と前記第２の波長とは、原稿に用いられている色を読み取り可能なように、原稿に用いられている色を参照して決定される、ことを特徴とする請求項１乃至請求項３のいずれかに記載の画像読み取り装置である。
【００１３】
（５）請求項５記載の発明は、前記光電変換手段で異なる波長の読み取り光を並行して光電変換することにより得られた信号から、前記先行原稿の第２面の画像データと前記後続原稿の第１面の画像データとを生成する画像処理部を備える、ことを特徴とする請求項１乃至請求項４のいずれかに記載の画像読み取り装置である。
【発明の効果】
【００１４】
本発明によると以下のような効果が得られる。
（１）請求項１記載の発明では、両面原稿を搬送しつつ両面画像を読み取って画像データを生成する際に、原稿搬送手段により複数枚の原稿を表裏反転させつつ連続して搬送し、原稿搬送手段により搬送される先行原稿の第２面に第２の波長の読み取り光を照射して光電変換手段で該先行原稿第２面の光電変換を実行する動作と、原稿搬送手段により搬送される後続原稿の第１面に第１の波長の読み取り光を照射して光電変換手段で該後続原稿第１面の光電変換を実行する動作とを並行して行う。
【００１５】
この結果、シートスルー型の読み取りを行う際に、光源を二種類用意することで、簡易な構成により、先行原稿の第２面と後続原稿の第１面のように並行した動作による両面読み取り（二面並行読み取り）が可能な画像読み取り装置を実現することができる。
【００１６】
（２）請求項２記載の発明では、原稿の搬送方向と直交する方向を長手方向とするライン状の光源により構成した第１光源と第２光源とを用いて、原稿を搬送中に読み取り光を照射し、原稿の搬送方向と直交する方向を長手方向とする光電変換素子の集合体としてのラインセンサで構成した光電変換手段を用いて光電変換を行うようにしておき、原稿搬送手段により複数枚の原稿を表裏反転させつつ連続して搬送し、原稿搬送手段により搬送される先行原稿の第２面に第２の波長の読み取り光を照射して光電変換手段で該先行原稿第２面の光電変換を実行する動作と、原稿搬送手段により搬送される後続原稿の第１面に第１の波長の読み取り光を照射して光電変換手段で該後続原稿第１面の光電変換を実行する動作とを並行して行う。
【００１７】
この結果、シートスルー型の読み取りを行う際に、ライン状の光源を二種類用意し、複数色読み取り可能なラインセンサを用意する簡易な構成により、先行原稿の第２面と後続原稿の第１面のように並行した動作による両面読み取りが可能な画像読み取り装置を実現することができる。
【００１８】
（３）請求項３記載の発明では、上記（１）または（２）において、光電変換手段として、カラー原稿の読み取りのためにＲＧＢなどの複数色のラインセンサのうちのいずれか２つの色を用いる。
【００１９】
この結果、シートスルー型の読み取りを行う際に、ラインセンサとしてはカラー読み取り用のものをそのまま使用することができ、簡易な構成により、先行原稿の第２面と後続原稿の第１面のように並行した動作による両面読み取りが可能な画像読み取り装置を実現することができる。
【００２０】
（４）請求項４記載の発明では、上記（１）〜（３）において、原稿に用いられている色を読み取り可能なように、原稿に用いられている色を参照して第１の波長と第２の波長とが決定される。たとえば、原稿に赤が含まれている場合には赤以外の色の読み取り光を用いるようにする。
【００２１】
この結果、有彩色が含まれた原稿であっても、簡易な構成により、先行原稿の第２面と後続原稿の第１面のように並行した動作による両面読み取りが可能な画像読み取り装置を実現することができる。
【００２２】
（５）請求項５記載の発明では、上記（１）〜（５）において、前記光電変換手段で異なる波長の読み取り光を並行して光電変換することにより得られた信号から、先行原稿の第２面の画像データと後続原稿の第１面の画像データとが生成される。
【００２３】
この結果、シートスルー型の読み取りを行う際に、光源を二種類用意することで、簡易な構成により、先行原稿の第２面と後続原稿の第１面のように並行した動作によって二つの面の画像データが並行して生成されることになり、両面読み取りが可能な画像読み取り装置を実現することができる。
【発明を実施するための最良の形態】
【００２４】
以下、図面を参照して本発明を実施するための最良の形態（以下、実施形態）を詳細に説明する。なお、原稿読み取り手段（スキャナ）により原稿の内容を画像情報として読み取って画像データを生成して出力する画像読み取り装置であっても、また、原稿読み取り手段（スキャナ）により複写対象物（原稿）の内容を画像情報として読み取って複写する機能を備えた画像読み取り装置（複写装置）であっても、本発明の実施形態を適用することが可能である。
【００２５】
なお、この実施形態では、原稿を搬送しつつ画像を読み取って画像データを生成する機能を有する画像読み取り装置、すなわち、主走査方向に複数画素の固体撮像素子などの読み取り素子を有しており、原稿を読み取り素子に対して副走査方向に移動させることで、主走査方向および副走査方向の二次元の読み取り（シートスルー型の読み取り）を実行する機能を有する画像読み取り装置を対象としている。
【００２６】
〈画像読み取り装置の電気的構成〉
図１は本発明の第１の実施形態の画像読み取り装置１００内の詳細構成を示すブロック図である。なお、この図１では、本実施形態の動作説明に必要な部分の周囲を中心に記載してあり、その他の画像読み取り装置１００として既知の部分については省略してある。
【００２７】
画像読み取り装置１００は原稿の画像を光学的に読み取って画像データを生成するものであり、この実施形態では、両面原稿を搬送しつつ、搬送される先行原稿の第２面に第２の波長の読み取り光を照射して該先行原稿第２面の光電変換を実行する動作と、搬送される後続原稿の第１面に第１の波長の読み取り光を照射して該後続原稿第１面の光電変換を実行する動作とを並行して行う機能を有する。
【００２８】
制御部１０１は、後述する各部を制御する制御手段であり、原稿搬送の制御、読み取り光の色の決定と読み取り光の照射の制御、複数色での光電変換の制御、複数色の光電変換結果から複数の画像データを生成する際の制御を行う。なお、操作表示部１０２にオペレータから入力された指示に従い、制御部１０１が各部の制御を行う。また、制御部１０１は、画像読み取り装置の各種状態を操作表示部１０２に表示する。
【００２９】
搬送部１１０は、制御部１０１の制御に基づいて、原稿を表裏反転させて搬送する原稿搬送手段であり、後述する図２に示すように、第１読み取り搬送部１１２、反転搬送部１１３、第２読み取り搬送部１１５、第２反転搬送部１１６、を有する。
【００３０】
光源１２０は、制御部１０１の制御に基づいて、搬送部１１０で搬送されつつある原稿の読み取り面に読み取り光を照射する照明手段であり、第１読み取り搬送部１１２により搬送中の原稿の第１面に第１の波長の読み取り光（第１読み取り光）を照射する第１光源１２０Ａと、第２読み取り搬送部１１５により搬送中の原稿の第２面に第２の波長の読み取り光（第２読み取り光）を照射する第２光源１２０Ｂと、を有する。
【００３１】
ここで第１光源１２０Ａと第２光源１２０Ｂとは、原稿の搬送方向と直交する方向を長手方向とする、発光波長の異なるライン状の光源である。なお、第１光源１２０Ａと第２光源１２０Ｂとは、制御部１０１の制御に基づいて、発光波長が決定されるものであり、ＲＧＢのいずれかの色を選択して発光、あるいは、すべての色を発光することが可能に構成される。なお、この光源は複数素子のＬＥＤの集合体、あるいは、各種発光手段により構成される。
【００３２】
光学部１３０は光源１２０からの読み取り光が原稿で反射された反射光を光電変換部に導く光学系であり、第１光源１２０Ａからの第１読み取り光が原稿で反射された第１の波長の反射光（第１反射光）を光電変換部に導く第１光学部と、第２光源１２０Ｂからの第２読み取り光が原稿で反射された第２の波長の反射光（第２反射光）を光電変換部に導く第２光学部と、を有する。
【００３３】
光電変換部１４０は、制御部１０１の制御に基づいて、波長の異なる第１反射光と第２反射光とを受け、それぞれを独立して光電変換して光電変換信号を生成する光電変換手段である。この光電変換部１４０は、原稿の搬送方向と直交する方向を長手方向とする光電変換素子の集合体としてのラインセンサであり、少なくとも２つの異なる波長を独立して光電変換することが可能であり、たとえば、カラー原稿の読み取りのためにＲＧＢなど複数色のラインセンサのいずれか２つの色を用いる。
【００３４】
また、この光電変換部１４０では、以上の第１光源１２０Ａと第２光源１２０Ｂとの発光波長に応じて、いずれの色で光電変換を行うか、制御部１０１の制御に基づいて決定される。
【００３５】
画像処理部１５０は、制御部１０１の制御に基づいて、光電変換部１４０で異なる波長の読み取り光を並行して光電変換することにより得られた読み取り信号から、先行原稿の第２面の画像データと後続原稿の第１面の画像データとを生成する機能を有する。
【００３６】
なお、画像処理部１５０として、ＲＧＢ色別のデータを一時記憶するためのフレームバッファなどを備える場合には、その色別フレームバッファを、並行して読み取った先行原稿の第２面の画像データと後続原稿の第１面の画像データとを一時記憶するために割り当ててもよい。
【００３７】
なお、画像処理部１５０で生成された画像データは、読み取った原稿の頁数に応じて、順次、図示されないインタフェース等を介して外部に出力されるか、あるいは、図示されない記憶手段や画像形成部等に渡される。
【００３８】
〈画像読み取り装置の機械的構成〉
ここで、図２を参照して画像読み取り装置の機械的構成を説明する。なお、ここでは、原稿の画像を読み取って画像データを生成するスキャナなどの画像読み取り装置を本実施形態の具体例として用いる。
【００３９】
この図２において、搬送部１１０は、読み取り前の原稿を束状にして載置するための原稿トレイ１１１、搬送中の原稿の読み取り面（第１面）に読み取り光が照射され、その際の反射光が第１反射光として第１光学部により光電変換部１４０に導かれてゆく第１読み取り搬送部１１２、第１読み取り搬送部１１２で読み取られた原稿を第２読み取り搬送部１１５へ反転搬送する反転搬送部１１３と、原稿の第１面の片面のみが読み取られた場合に排紙されて積載される第１排紙トレイ１１４と、反転搬送された後に搬送中の原稿の読み取り面（第２面）に読み取り光が照射され、その際の反射光が第２反射光として第２光学部により光電変換部１４０に導かれてゆく第２読み取り搬送部１１５と、第２読み取り搬送部１１５で読み取られた後に排紙時の頁順を元通りにするための反転を行う第２反転搬送部１１６と、原稿の両面が読み取られた場合に排紙されて積載される第２排紙トレイ１１７と、を有して構成される。
【００４０】
また、この図２において、第１読み取り搬送部１１２により搬送中の原稿の第１面に第１の波長の読み取り光（第１読み取り光）を照射する第１光源１２０Ａと、第２読み取り搬送部１１５により搬送中の原稿の第２面に第２の波長の読み取り光（第２読み取り光）を照射する第２光源１２０Ｂと、が配置されている。
【００４１】
ここで、第１光源１２０Ａと第２光源１２０Ｂとは、固定された位置にあってもよいが、プラテンガラス上の固定された状態の原稿を読み取るため、第２光源１２０Ｂが第２光学部と共に紙面左右方向に移動する構成であってもよい。
【００４２】
また、この図２において、第１読み取り搬送部１１２により搬送中の原稿の第１面に第１の波長の読み取り光（第１読み取り光）が照射された場合の反射光（第１反射光）を光電変換部１４０に導く第１光学部として、ミラー１３１Ａと、ミラー１３２Ａと、ミラー１３３Ａと、を有する。
【００４３】
また、この図２において、第２読み取り搬送部１１５により搬送中の原稿の第２面に第２の波長の読み取り光（第２読み取り光）が照射された場合の反射光（第２反射光）を光電変換部１４０に導く第２光学部として、ミラー１３１Ｂと、ミラー１３２Ｂと、ミラー１３３Ｂと、を有する。
【００４４】
ここで、第１光学部１３０Ａと第２光学部１３０Ｂとは、固定された位置にあってもよいが、プラテンガラス上の固定された状態の原稿を読み取るため、第２光学部１３０Ｂが第２光学部と共に紙面左右方向に移動する構成であってもよい。
【００４５】
また、必要に応じて、第１光学部１３０Ａと第２光学部１３０Ｂとの一方、あるいは、両方は、ホームポジションなどの位置に待避可能な構成であってもよい。また、必要に応じて、第１光学部１３０Ａと第２光学部１３０Ｂとの一方、あるいは、両方は、シェーディング補正などのために、移動して、図示されない基準白色板を読み取る動作が可能な構成であってもよい。
【００４６】
また、ミラー１３３Ａで反射された第１反射光とミラー１３３Ｂで反射された第２反射光とは互いに角度を有していて重なることがない状態を図２に示しているが、ミラー１３３Ｂをハーフミラーなどで構成することで第１反射光と第２反射光とが略同一の経路を進むように構成してもよい。
【００４７】
光電変換部１４０は、波長の異なる第１光学部からの第１反射光と第２光学部からの第２反射光とを受け、それぞれを独立して光電変換して光電変換信号を生成するため、原稿の搬送方向と直交する方向を長手方向（図２の紙面垂直方向）とする光電変換素子の集合体としての複数色のラインセンサにより構成された光電変換手段である。なお、一般的には、光電変換部１４０をカラー画像読取にも対応させるため、ＲＧＢの合計３ラインのラインセンサ、あるいは、モノクロとカラーの読み取りのため、ＢｋＲＧＢの４ラインのラインセンサにより構成される。
【００４８】
〈第１の実施形態の動作状態〉
以下、第１の実施形態の画像読み取り装置の動作について、図３のフローチャートおよび図４以降の各説明図を参照して、詳細な動作説明を行う。なお、ここでは、コピーのために原稿の画像を読み取る場合を具体例にする。このため、読み取りにより生成された画像データは、図示されない画像形成部（プリントエンジン）に渡される。なお、以下の実施形態の説明では、便宜上、原稿の第１面を表面、原稿の第２面を裏面と呼ぶことにする。
【００４９】
なお、この図３のフローチャートは、制御部１０１で動作している制御プログラム中でコールされるものである。
まず、制御部１０１は、操作表示部１０２に初期画面を表示し、使用者からのコピーモードの指定を受け付ける（図３中のステップＳ３０１）。ここで、コピーモードの指定とは、片面読み取り、両面読み取り、片面画像形成、両面画像形成、カラーコピー、モノクロコピー、カラー原稿モノクロコピー、倍率、濃度、用紙サイズ指定、などである。
【００５０】
原稿読み取りが片面であれば（図３中のステップＳ３０２でＮＯ）、原稿トレイ１１１に載置された原稿を第１読み取り搬送部１１２により搬送し（図３中のステップＳ３２０）、搬送中の原稿の表面に第１光源１２０Ａから照明光を照射し、原稿での反射光をミラー１３１Ａ，１３２Ａ，１３３Ａにより光電変換部１４０に導く。そして、光電変換部１４０で光電変換された読み取り信号を画像処理部１５０で処理して、画像データを生成する（図３中のステップＳ３２１）。そして、読み取った原稿は第１排紙トレイ１１４に向けて排紙搬送する（図３中のステップＳ３２２）。そして、以上の動作を原稿トレイ１１１上に原稿がなくなるまで繰り返す（図３中のステップＳ３２３）。
【００５１】
また、原稿読み取りが両面であり（図３中のステップＳ３０２でＹＥＳ）、カラーコピーであれば（図３中のステップＳ３０３でＹＥＳ）、読み取りに用いられる第１光源１２０Ａと第２光源１２０Ｂの発光色をＲＧＢのすべてと決定する（図３中のステップＳ３３０）。
【００５２】
そして、原稿トレイ１１１に載置された原稿を第１読み取り搬送部１１２により搬送し（図３中のステップＳ３３１）、搬送中の原稿の表面に第１光源１２０Ａから照明光を照射し、原稿での反射光をミラー１３１Ａ，１３２Ａ，１３３Ａにより光電変換部１４０に導く。そして、光電変換部１４０で光電変換された読み取り信号を画像処理部１５０で処理して、原稿の表面の画像データを生成する（図３中のステップＳ３３２）。
【００５３】
ここで、表面について読み取った原稿を第２読み取り搬送部１１５に向けて反転搬送部１１３で反転搬送し（図３中のステップＳ３３３）、さらに、原稿を第２読み取り搬送部１１５により搬送し、搬送中の原稿の裏面に第２光源１２０Ｂから照明光を照射し、原稿での反射光をミラー１３１Ｂ，１３２Ｂ，１３３Ｂにより光電変換部１４０に導く。そして、光電変換部１４０で光電変換された読み取り信号を画像処理部１５０で処理して、原稿の裏面の画像データを生成する（図３中のステップＳ３３４）。
【００５４】
このようにして、原稿の裏面についても読み取りを実行した後に（図３中のステップＳ３３５でＹＥＳ）、読み取った原稿は第２排紙トレイ１１７に向けて第２反転搬送部１１６により排紙搬送し（図３中のステップＳ３３６）、以上のような原稿の表面と裏面との読み取り動作を原稿トレイ１１１上に原稿がなくなるまで繰り返す（図３中のステップＳ３３７）。
【００５５】
また、原稿読み取りが両面であり（図３中のステップＳ３０２でＹＥＳ）、カラーコピーでなければ（図３中のステップＳ３０３でＮＯ）、本実施形態の特徴的動作として以下に説明する二面並行読み取りを実行する。
【００５６】
ここで、制御部１０１は、操作表示部１０２に原稿使用色確認画面（図４参照）を表示し、原稿中の文字などに使用されている色の入力を受け付ける（図３中のステップＳ３０４）。
【００５７】
なお、原稿全頁を読み取って、スキャンと画像色認識処理などによって、原稿に用いられている色を画像読み取り装置側で自動的に読み取ることも可能である。
ここで、原稿に使用されている色が黒のみであれば（図３中のステップＳ３０４でＮＯ）、第１光源１２０Ａと第２光源１２０Ｂの照明光の波長を初期値、たとえば、第１光源１２０Ａの照明光をグリーン（Ｇ），第２光源１２０Ｂの照明光を赤（Ｒ）などに設定する（図３中のステップＳ３０７）。
【００５８】
ここで、原稿に使用されている色がカラーであれば（図３中のステップＳ３０４でＹＥＳ）、使用不可光源色を決定した上で（図３中のステップＳ３０５）、第１光源１２０Ａと第２光源１２０Ｂの照明光の色（波長）を決定する（図３中のステップＳ３０６）。ここで、原稿に使用されている色と同じ色の光源は使用不可光源色であって読み取りができないため、原稿に使用されていない色を照明光として用いるように決定する。ここで、原稿に使用されている色が頁によって異なる場合には、頁範囲毎に以上の図４での入力を行うようにして、制御部１０１が照明光の色（波長）を決定する。
【００５９】
なお、原稿に複数の有彩色が使用されていて二面並行読み取りが成立しない場合には、図３には示されていないが、ステップＳ３３０以降のカラー読み取りに準じて、１面ずつカラー原稿を読み取ってモノクロ画像データを生成する。
【００６０】
また、原稿に複数の有彩色が使用されていて二面並行読み取りが成立しない頁範囲が原稿束の一部に存在する場合には、図３には示されていないが、二面並行読み取りが成立しない頁範囲において、ステップＳ３３０以降のカラー読み取りに準じて、１面ずつカラー原稿を読み取ってモノクロ画像データを生成し、二面並行読み取りが成立する頁範囲では以下の動作を行う。
【００６１】
そして、原稿トレイ１１１に載置された原稿を第１読み取り搬送部１１２により搬送し（図３中のステップＳ３０８）、搬送中の原稿の表面に第１光源１２０Ａから照明光を照射し、原稿での反射光をミラー１３１Ａ，１３２Ａ，１３３Ａにより光電変換部１４０に導く。そして、光電変換部１４０で光電変換された読み取り信号を画像処理部１５０で処理して、原稿の表面の画像データを生成する（図３中のステップＳ３０９）。
【００６２】
ここで、表面について読み取り終えた（図３中のステップＳ３１０）原稿を、第２読み取り搬送部１１５に向けて反転搬送部１１３で反転搬送する（図３中のステップＳ３１１）。
【００６３】
ここで、後続原稿が原稿トレイ１１１上に存在していなければ（図３中のステップＳ３１２でＮＯ）、反転搬送された原稿を第２読み取り搬送部１１５により搬送し、搬送中の原稿の表面に第２光源１２０Ｂから照明光を照射し、原稿での反射光をミラー１３１Ｂ，１３２Ｂ，１３３Ｂにより光電変換部１４０に導く。そして、光電変換部１４０で光電変換された読み取り信号を画像処理部１５０で処理して、原稿の裏面の画像データを生成する（図３中のステップＳ３１５）。なお、このようにして、原稿の裏面についても読み取りを実行した後に、読み取った原稿は第２排紙トレイ１１７に向けて第２反転搬送部１１６により排紙搬送する。
【００６４】
また、ここで、後続原稿が原稿トレイ１１１上に存在していれば（図３中のステップＳ３１２でＹＥＳ）、原稿トレイ１１１に載置されている次の原稿を後続原稿として第１読み取り搬送部１１２により搬送し（図３中のステップＳ３１３）、搬送中の原稿の表面に第１光源１２０Ａから照明光を照射し、原稿での反射光をミラー１３１Ａ，１３２Ａ，１３３Ａにより光電変換部１４０に導いて、光電変換部１４０で光電変換された読み取り信号を画像処理部１５０で処理して、後続原稿の表面の画像データを生成する（図３中のステップＳ３１４前半）。
【００６５】
また、以上の後続原稿の照明光照射〜画像データ生成と並行して、反転搬送部１１３で反転搬送された先行原稿を第２読み取り搬送部１１５により搬送し、搬送中の先行原稿の表面に第２光源１２０Ｂから照明光を照射し、原稿での反射光をミラー１３１Ｂ，１３２Ｂ，１３３Ｂにより光電変換部１４０に導く。
【００６６】
この状態を図５に示す。通紙経路上で太線となっている部分が、ｎ枚目の先行原稿Ｄnと、ｎ＋１枚目の後続原稿Ｄn+1との様子を模式的に示している。なお、実際には、先行原稿と後続原稿とが全く同じタイミングで読み取られる必要はなく、読み取りに際して重なるタイミングが生じていることで、従来より効率的な読み取りが可能になる。
【００６７】
そして、光電変換部１４０で光電変換された読み取り信号を画像処理部１５０で処理して、先行原稿の裏面の画像データを生成する（図３中のステップＳ３１４の後半）。なお、このようにして、先行原稿の裏面についても読み取りを実行した後に、読み取った先行原稿は第２排紙トレイ１１７に向けて第２反転搬送部１１６により排紙搬送する。
【００６８】
この場合、後続原稿の表面に照射される第１光源１２０Ａからの第１照明光の波長と、先行原稿の裏面に照射される第２光源１２０Ｂからの第２照明光の波長とは異なっているため、同じタイミングで第１反射光と第２反射光とが光電変換部１４０に到達しても、独立したチャンネルとして読み取り信号を生成することが可能であり、この結果、独立して画像データを生成することが可能になっている。
【００６９】
この結果、シートスルー型の読み取りを行う際に、光源を二種類用意することで、光電変換部１４０は従来同様の簡易な構成により、先行原稿の第２面と後続原稿の第１面のように並行した動作による両面読み取り（二面並行読み取り）が可能な画像読み取り装置を実現することが可能になる。
【００７０】
すなわち、光電変換部１４０としては、今までのカラー画像読取が可能なＲＧＢのラインセンサを波長毎に使用するため、二面並行読み取りを実行するにあたって、コストアップを最小限に抑えることが可能になる。
【００７１】
なお、カラー原稿をカラー読み取りする場合（図３中のステップＳ３３０〜Ｓ３３７）、あるいは、原稿に複数色が使用されていて二面並行読み取りが実行できない場合、図６に示すように、先行原稿Ｄnの読み取りが終了した直後に、後続原稿Ｄn+1の読み取りが開始されるように制御部１０１が搬送の制御を行うことで、従来よりも効率的な読み取りが可能になる。
【００７２】
また、以上の実施形態の説明では、コピーを行う複写装置などにおける画像読み取り装置（スキャナ部）を具体例にして説明してきたが、単体の画像読み取り装置の場合であってもよい。
【図面の簡単な説明】
【００７３】
【図１】本発明の実施形態の画像読み取り装置の電気的な構成を示す機能ブロック図である。
【図２】本発明の実施形態の画像読み取り装置の機械的な構成を示す構成図である。
【図３】本発明の実施形態の画像読み取りの動作を示すフローチャートである。
【図４】本発明の実施形態の画像読み取りに必要な操作画面の一例を示す説明図である。
【図５】本発明の実施形態の画像読み取りにおける通紙状態の一例を示す説明図である。
【図６】本発明の実施形態の画像読み取りにおける通紙状態の一例を示す説明図である。
【符号の説明】
【００７４】
１００  画像読み取り装置
１０１  制御部
１０２  操作表示部
１１０  搬送部（第１読み取り搬送部，反転搬送部，第２読み取り搬送部）
１２０  光源（第１光源，第２光源）
１３０  光学部（第１光学部，第２光学部）
１４０  光電変換部（Ｒ光電変換部，Ｇ光電変換部，Ｂ光電変換部）
１５０  画像処理部
【図１】
2007259003.tif 000003
【図２】
2007259003.tif 000004
【図３】
2007259003.tif 000005
【図４】
2007259003.tif 000006
【図５】
2007259003.tif 000007
【図６】
2007259003.tif 000008